(57)【要約】【課題】バッテリー大容量化に伴う大型化および重量増に対してバッテリーを保護しながらファインダーを使用可能にすること。【解決手段】撮像装置と、撮像装置本体部に設けられ、高さの異なるバッテリーをそれぞれ装着可能なバッテリー装着部と、前記バッテリー装着部の上方に配置されたビューファインダー部と、前記ビューファインダーに装着される弾性部材で形成されたアイカップ部と、前記アイカップ部に着脱可能で、弾性部材で形成され、前記アイカップ部よりも大きく、前記バッテリー装着部に装着されたバッテリーの装着部と反対側の４隅を保護する保護部を具備する。【選択図】図４
2020086192.tif 000002
【特許請求の範囲】
【請求項１】
撮像装置本体におけるバッテリー装着部の上方に配置されたビューファインダーのアイカップ部に着脱可能なアイカップであって、
弾性部材で形成され、前記バッテリー装着部に装着されたバッテリーの４隅を保護する保護部を具備することを特徴とするアイカップ。
【請求項２】
前記ビューファインダーは背面方向に引き出し可能で、バッテリーの長さに応じて引き出量を変えることにより前記保護部が前記バッテリーの４隅を保護することを特徴とする請求項１に記載のアイカップ。
【請求項３】
前記ビューファインダーはさらにチルト可能であり、装着することによりチルト動作をさせないための動作制限部を持つことを特徴とする請求項１又は２に記載のアイカップ。
【発明の詳細な説明】
【技術分野】
【０００１】
本発明は、引き出しおよび回動動作可能なビューファインダー部に装着するアイカップに関する。
【背景技術】
【０００２】
従来、デジタルビデオカメラ等においては、液晶表示部に表示した画像を光学系によって拡大する構造のビューファインダーが使用されている。また、高画質化により、ビューファインダー部に表示される画像の高精細化が進み、よりフィット感を高め、外光の影響を最小化するための着脱可能な大型アイカップが提案されている（特許文献１）。
【０００３】
また、上記のビューファインダーは汎用性を高めるため、スライド及びチルトをする構造を持つものが多くある。かつ、通常レンズ光軸の軸近傍に後方に向けて配置されることが多い。
【０００４】
加えて近年は、高画質化、高フレームレート化に伴い、消費電力が大きくなり、より大容量、すなわち大型のバッテリーが求められている。そこでファインダーの下にバッテリー容量及び高さの異なるバッテリーが装着可能になっているビデオカメラが提案されている（特許文献２）。
【先行技術文献】
【特許文献】
【０００５】
【特許文献１】特開２００１−２２８５０９号公報
【特許文献２】特開２０１２−８９９８２号公報
【発明の概要】
【発明が解決しようとする課題】
【０００６】
しかしながら、特許文献１では、外光からの影響は排除できるものの、バッテリー大容量化に伴う大型化および重量増に対応することができない。また同様に特許文献２では、バッテリー部分のガタツキは押さえられるものの、バッテリー大容量化に伴う大型化および重量増に対応することができないという問題があった。
【課題を解決するための手段】
【０００７】
上記の課題を解決するために、本発明に係るアイカップは、
撮像装置本体におけるバッテリー装着部の上方に配置されたビューファインダーのアイカップ部に着脱可能なアイカップであって、弾性部材で形成され、前記バッテリー装着部に装着されたバッテリーの４隅を保護する保護部を具備することを特徴とする。
【発明の効果】
【０００８】
本発明に係るアイカップによれば、落下等により、撮像装置からバッテリーが外れたり故障したりすることなく、かつファインダーをを使用しながら、汎用の大容量バッテリーを使用することができ、長時間の撮影が可能となる。
【図面の簡単な説明】
【０００９】
【図１】本発明の実施例に関わる撮像装置の後方右上面斜視図
【図２】本発明の実施例に関わる撮像装置の前方右上面斜視図
【図３】本発明の実施例に関わる撮像装置の後方左底面斜視図
【図４】本発明の実施例に関わる撮像装置ビューファインダーユニット３００近傍の後方右側斜視図
【図５】図４の状態でのＸ−Ｙ平面での断面図
【図６】本発明の実施例に関わる小型バッテリーユニット６００を装着した撮像装置の後方右上面斜視図
【図７】図６の状態でのＸ−Ｙ平面での断面図
【図８】本発明の他の実施例に関わる撮像装置の後方右上面斜視図
【図９】図８の状態でのＸ−Ｙ平面での断面図
【図１０ａ】従来の撮像装置の後方右上面斜視図
【図１０ｂ】従来の撮像装置の後方右上面斜視図
【図１０ｃ】従来の撮像装置の後方右上面斜視図
【図１１】従来の撮像装置の前方右上面斜視図
【図１２】従来の撮像装置の後方左底面斜視図
【図１３ａ】従来の撮像装置のＹ−Ｚ平面での断面図
【図１３ｂ】従来の撮像装置のＹ−Ｚ平面での断面図
【発明を実施するための形態】
【００１０】
以下、本発明の好適な一実施形態について、図面を参照しながら詳細に説明する。なお、説明に関しては、本実施例に関連する部分を中心に説明を行い、本実施例と直接関連しない部分に関しては非図示とし説明を省略している。
【００１１】
＜第１の実施形態＞
本実施形態における撮像装置において、レンズ（前玉）側から見た面（図１−Ｚ方向に向かって見た時、視認できる面）を正面、正面と対向する面を背面、正面から見て右側の面を右側面、正面から見て左側の面を左側面、正面から見て上側の面を上面、正面から見て下側の面を底面、と各々称する。またＸ，Ｙ，Ｚ方向をそれぞれ図１に示すように定義する。なお、本実施形態では、撮像装置として、レンズ一体型のカメラを例示するが、これに限定されない。
【００１２】
図１０は従来の撮像装置の後方右上面斜視図、図１１は従来の撮像装置の前方右上面斜視図、図１２は従来の撮像装置の後方左底面斜視図である。
【００１３】
撮像装置１００は正面側にはレンズユニット部１１０、背面側には撮影者が目を当てて覗き込むことにより撮影画像の確認を行うためのビューファインダーユニット３００が背面向きに配置される。
【００１４】
ビューファインダーユニット３００は、目にフィットさせるため、柔軟性のある材料にて構成されるアイカップ部３５０を持ち、覗き込むための接眼部３１０を持つ。右側面側には、開閉可能で、ビューファインダーユニット３００と同様に撮影者が撮影画像の確認を行うための本体表示部１２０や、電源スイッチ１３０が配置されており、ズーム等を操作するためのズームユニット部１４０が配置される。背面部には外部電源としてのバッテリーユニット５００が装着可能である。また、バッテリーユニット５００は−Ｚ方向に長さの異なる種々のサイズが装着可能となっている。
【００１５】
種々のサイズに対応するため、ビューファインダーユニット３００はファインダー延出部３２０を持ち、図１０ｂ，ｃ等に示されるように引き出して使用したり、引き出し後チルトさせることも可能になっている。また底面部にはバッテリーユニット５００を保持するためのバッテリー保持部２００を持ち、バッテリー保持部２００の一部がバッテリーユニット５００の保持用凹部５１０を保持する構成となっている。バッテリーユニット５００着脱時には、バッテリー保持部２００を＋Ｚ方向に作動させることによりバッテリーユニット５００を取り出すことが可能となっている。
【００１６】
図１３ａ，図１３ｂは従来の撮像装置のＹ−Ｚ平面での断面図である。
【００１７】
バッテリーユニット５００、小型バッテリーユニット６００はバッテリー側端子部５６０を持ち、本体側接点部１６０と電気的に接続する。
【００１８】
図１３ａのように小型バッテリーユニット６００を使用する際には、ビューファインダーユニット３００の接眼部３１０を覗き込むためにはビューファインダーユニット３００を引き出すだけでよい。またバッテリー保持部２００にも過大な力がかかることはなかったが、図１３ｂのように大型のバッテリーユニット５００が装着された際にはビューファインダーユニット３００を引き出した状態でも接眼部３１０を覗き込めない上、バッテリーユニット５００の重量及び長さが増したため、たとえば撮像装置１００を落下させた際に、本体側のバッテリー保持部２００や本体側接点部１６０が破損したり、バッテリーユニット５００が破損してしまうという問題が発生する。
【００１９】
図１は本発明の実施例に関わる撮像装置の後方右上面斜視図、図２は本発明の実施例に関わる撮像装置の前方右上面斜視図、図３は本発明の実施例に関わる撮像装置の後方左底面斜視図、図４に本発明の実施例に関わる撮像装置ビューファインダーユニット３００近傍の後方右側斜視図である。
【００２０】
図１〜図４に示されるように，ビューファインダーユニット３００のアイカップ部３５０には大型アイカップ４００が装着される。大型アイカップ４００は大型アイカップ接眼部４１０、及びバッテリーユニット保持部４２０を持つ。バッテリーユニット保持部４２０はビューファインダーユニット３００を引き出した状態でバッテリーユニット５００のバッテリーユニット背面部５２０の４辺を覆うように構成されている。また、大型アイカップ４００は柔軟性のある材料にて形成され、覗き込んだ際に外光が入らないようにしっかりフィットするようになっている。
【００２１】
図５に、図４の状態でのＸ−Ｙ平面での断面図を示す。
【００２２】
大型アイカップ４００はアイカップ部３５０に形成されたアイカップ溝部３４０に大型アイカップ延出部４４０が入り込むことによりビューファインダーユニット３００に固定される。また、バッテリーユニット５００のバッテリーユニット背面部５２０及びバッテリーユニット底面部５３０をバッテリーユニット保持部４２０に形成された底面側バッテリー保護部４３０によって保護している。加えて、バッテリーユニット上面角部５３５に関しても同様にバッテリーユニット保持部４２０に形成された上面側バッテリー保護部４３５によって保護される。これによりたとえば撮像装置１００を落としたりした際にも直接バッテリーユニット５００が床にあたることがなく、撮像装置１００及びバッテリーユニット５００の破損を防ぐことができる。バッテリー保持部２００への荷重集中も避けられ、バッテリー保持部２００や本体側接点部１６０が破損し使えなくなるような事態も避けることができる。加えて、バッテリーユニット５００に邪魔され接眼部３１０から映像を見ることができない、といった事態も避けることができる。
【００２３】
図６に、本発明の実施例に関わる小型バッテリーユニット６００を装着した撮像装置の後方右上面斜視図を示す。図７に、図６の状態でのＸ−Ｙ平面での断面図を示す。
【００２４】
小型バッテリーユニット６００の装着状態においても、ビューファインダーユニット３００のファインダー延出部３２０を撮像装置１００に途中まで収納することにより、小型バッテリーユニット６００の小型バッテリーユニット背面部６２０及び小型バッテリーユニット底面部６３０をバッテリーユニット保持部４２０に形成された底面側バッテリー保護部４３０によって保護される。加えて、小型バッテリーユニット上面角部６３５に対しても同様にバッテリーユニット保持部４２０に形成された上面側バッテリー保護部４３５によって保護される。上記に示すようにバッテリーユニット５００の大きさによらず保護することが可能である。
【００２５】
図８に、本発明の他の実施例に関わる撮像装置の後方右上面斜視図を示す。図９に、図８の状態でのＸ−Ｙ平面での断面図を示す。
【００２６】
本実施例では図９ｃのようにビューファインダーユニット３００をチルトさせたり、無理にビューファインダーユニット３００を収納しようとして撮像装置１００を破損しないように、大型アイカップ４００上に一体で構成された前方延出部４６０の前側接地面４６１が本体背面部１５０に接することにより、ビューファインダーユニット３００を引き出し状態で保持することが可能となる。
【００２７】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２８】
１００  撮像装置、１１０  レンズユニット部、１２０  本体表示部、
１３０  電源スイッチ、１４０  ズームユニット部、
３００  ビューファインダーユニット、３１０  接眼部、
３２０  ファインダー延出部、３４０  アイカップ溝部、
３５０  アイカップ部、４００  大型アイカップ、
４１０  大型アイカップ接眼部、４４０  大型アイカップ延出部
【図１】
2020086192.tif 000003
【図２】
2020086192.tif 000004
【図３】
2020086192.tif 000005
【図４】
2020086192.tif 000006
【図５】
2020086192.tif 000007
【図６】
2020086192.tif 000008
【図７】
2020086192.tif 000009
【図８】
2020086192.tif 000010
【図９】
2020086192.tif 000011
【図１０ａ】
2020086192.tif 000012
【図１０ｂ】
2020086192.tif 000013
【図１０ｃ】
2020086192.tif 000014
【図１１】
2020086192.tif 000015
【図１２】
2020086192.tif 000016
【図１３ａ】
2020086192.tif 000017
【図１３ｂ】
2020086192.tif 000018